(57)【要約】      （修正有）【課題】機種の違いや測定情報追加などでプロトコルとデータ構造が変更されることによるアプリケーションソフトの変更を行うことなく、簡単に測定情報の保存、閲覧を可能とすることを可能とした眼科測定装置の提供。【解決手段】被検眼測定する測定手段（Ｓ１０２）と測定情報を出力する出力手段（Ｓ１０３）とを有する眼科測定装置で、前記測定情報を画像ファイルに変換（Ｓ１０５）し、前記測定情報から該画像ファイルのファイル名を生成（Ｓ１０６）する眼科測定装置。【選択図】図３
2005261616.tif 000002
【特許請求の範囲】
【請求項１】
被検眼固有の情報を測定する測定手段と、該測定手段により得られた測定情報を出力する出力手段とを有する眼科測定装置において、前記測定情報を画像ファイルに変換を行う画像ファイル変換手段と、前記測定情報から該画像ファイルのファイル名を生成するファイル名生成手段とを有することを特徴とした眼科測定装置。
【発明の詳細な説明】
【技術分野】
【０００１】
本発明は、被検眼固有の情報を測定し、測定情報を外部に出力を行う眼科測定装置に関するものである。
【背景技術】
【０００２】
被検眼の屈折力の測定を行う眼屈折力測定計、角膜曲率の測定を行う角膜曲率測定計、眼圧の測定を行う眼圧計などの眼科測定装置では、被検眼の測定を行い、その測定情報を、付属の出力装置を通して外部機器へ出力していた。例えば、眼科測定装置に接続されたプリンタで印刷を行うことができ、接続されたパーソナルコンピュータ（以下ＰＣ）に測定情報を送信していた。ＰＣに測定情報を送信する場合には、独自形式のプロトコルとデータ構造に基づいて、シリアルデータ（文字データ）で出力していた。ＰＣに測定情報を取り込むことにより、閲覧をＰＣで行うことができる。
【特許文献１】特開平０５−００２６２９
【特許文献２】特開平１１−１６９３４３
【発明の開示】
【発明が解決しようとする課題】
【０００３】
しかしながら、眼屈折力測定計、角膜曲率測定計、眼圧計などの眼科測定装置では、ＰＣに測定情報を取り込む場合、機種ごとに独自形式のプロトコルとデータ構造に基づいて、シリアルデータ（文字データ）出力を行っている。例えば、図１１で示すように、矢印の方向の順に送信を行っており、プロトコル（通信の行う際の手順や約束事）は、制御文字“ＥＮＱ、ＡＣＫ”のやり取りで規定し、カンマで区切られたデータ“ｄａｔａ１、ｄａｔａ２”のデータ構造を用いている。そのため、機種ごとの独自形式で通信されるシリアルデータの送受信、データ構造に基づいた測定情報の保存に対応したアプリケーションソフトと、測定情報の閲覧を行うアプリケーションソフトが必要であった。眼底写真と眼科測定装置の測定値を患者ごとに管理しているデータベースでも、機種の違いや測定情報追加などでプロトコルとデータ構造が変更されることにより、シリアルデータの送受信、データベース登録のアプリケーションソフトの変更が必要になり、機種ごとの保守、サポートがたいへん難しくなっていた。
【０００４】
本発明の目的は、機種の違いや測定情報追加などでプロトコルとデータ構造が変更されることによるアプリケーションソフトの変更を行うことなく、簡単に測定情報の保存、閲覧を可能とすることを可能とした、眼科測定装置を提供することである。
【課題を解決するための手段】
【０００５】
上記課題を解決するために、請求項１の発明の眼科測定装置は、測定情報を画像ファイルに変換を行う画像ファイル変換手段と、測定情報から上記画像ファイル名を生成するファイル名生成手段とを有することを特徴とする。
【発明の効果】
【０００６】
以上説明したように、本発明による眼科測定装置は、上記手段により、機種の違いや測定情報追加などでプロトコルとデータ構造が変更されることによるアプリケーションソフトの変更を必要とせず、簡単に保存・閲覧が可能になる。また、ファイル名に測定情報を格納することにより、画像ファイルを開くことなく、簡単な測定情報を閲覧することができ、データベースで測定値を必要とする時にデータ解析が容易である。
【０００７】
眼底画像ファイリングシステムなどの画像データのみを扱うシステムでも、眼科測定装置の測定情報を扱うことが可能である。
【発明を実施するための最良の形態】
【０００８】
（実施例）
本発明を図１〜図１０に基づいて詳細に説明する。
【０００９】
図１は本発明の実施例の第１構成図である。
【００１０】
被検眼Ｅに対向してダイクロイックミラー１が配置されており、その反射方向には前眼部観察用対物レンズ２、ダイクロイックミラー３があり、ダイクロイックミラー３の反射方向の光路１０１上には結像レンズ４があり、被検眼Ｅの前眼部付近と略共役な位置にＣＣＤカメラなどの撮像素子５が配置されている。被検眼前眼部を照明するための近赤外光を発するＬＥＤなどの前眼部照明光源１６が被検眼とダイクロイックミラー１との間の光軸外の位置に配置されている。これらの前眼部観察用対物レンズ２から撮像素子５までで前眼部観察系を構成している。また、被検眼の角膜Ｅｃに角膜形状測定用のリング指標を投影するための近赤外光を発するＬＥＤなどのリング光源１８が被検眼とダイクロイックミラー１との間の光軸外の位置に配置されている。角膜形状測定系は、前眼部観察系に含まれている。
【００１１】
ダイクロイックミラー３の透過方向の光路１０２上にはミラー６が配置され、ミラー８の反射方向には図示のない被検眼が固視するための個視標投影系が配置されている。
【００１２】
一方、ダイクロイックミラー１の透過方向の光路１０３上には眼屈折力測定用対物レンズ７、穴開きミラー８、投影絞り９、投影レンズ１０、指標板１７、前記前眼部照明光源１６よりも数十ナノメートル波長が長い近赤外光を発する眼屈折力測定光源１１が配置されている。また、穴開きミラー８の反射方向には光軸外にリング絞り１２があり、その後方には円錐プリズム１３、リレーレンズ１４、ＣＣＤカメラなどの撮像素子１５が配置されている。これらの眼屈折力測定用対物レンズ７から眼屈折力測定光源１１により眼屈折力測定光投影系が構成され、眼屈折力測定用対物レンズ９から撮像素子１５により眼屈折力測定受光系が構成されている。
【００１３】
また、前述の観察系、固視標投影系、眼屈折力測定光投影系、眼屈折力測定受光系などにより被検眼検査部が構成されており、この被検眼検査部は図示のない３軸方向に移動することのできる架台の上に載っており、図示のない操作桿を検者が操作することにより、被検眼検査部を自由に移動することができ、これらの架台および操作桿などにより位置合わせ手段を構成している。
【００１４】
ここで、ダイクロイックミラー１は眼屈折力測定光源１１から発せられる波長の光の大部分を透過し一部分を反射し、前眼部照明光源１６から発せられた波長の光を反射する特性を有しており、ダイクロイックミラー３は可視光を透過し、近赤外光を反射する特性を有している。
【００１５】
図２は本発明の実施例の第２構成図である。
【００１６】
図１の撮像素子５および１５はそれぞれＡ／Ｄコンバーター２０および２３に接続され、それらの出力はそれぞれ画像メモリ２１および２４に接続されているとともに装置のあらゆる制御を行う演算処理部２２に接続されている。前記演算処理部２２にはこの他に、眼屈折力測定光源１１、および前記被検眼検査部の操作を行う操作部２７が接続されている。さらに、前記演算処理部２２にはＤ／Ａコンバーター２５、テレビモニター２６が順次接続されている。前記演算処理部２２に含まれる画像ファイル変換部及びファイル名生成部で作成された画像ファイルは、メモリ２８に格納され、外部入出力部２９を介して外部に出力される。
【００１７】
図３は、本発明の測定情報を画像ファイルとして外部に出力するフローチャートである。「Ｓ」はステップを表す。Ｓ１０１で測定スイッチの入力を判断する。測定スイッチの入力が判断された場合は、Ｓ１０２で、あらかじめ設定された測定回数分の眼屈折力と角膜曲率測定を行う。測定終了後、Ｓ１０１に戻る。Ｓ１０１で測定スイッチが入力されなかった場合、Ｓ１０３で出力スイッチの入力を判別する。この出力スイッチは、測定情報を外部機器であるＰＣに出力を行うためのスイッチである。Ｓ１０３で出力スイッチの入力がなければ、Ｓ１０１に戻る。Ｓ１０３で出力スイッチの入力が判断された場合、Ｓ１０４に進み、Ｓ１０２で測定が行われ測定データが存在するかの判断が行われる。測定がまだ行われておらず、測定データが存在しない場合は、Ｓ１０１に戻る。すでに、測定が行われ測定データが存在する場合は、Ｓ１０４に進む。Ｓ１０４では、文字情報である測定情報（ＩＤ、測定日時及び測定データ）を前記演算処理部２２により、一般的な画像フォーマットであるビットマップ形式に変換され画像ファイルが作成され、メモリ２８に格納される。図４は、作成された画像ファイルのイメージを示す。次にＳ１０５では、Ｓ１０４で作成された画像ファイルに測定情報を含んだファイル名を生成し、画像ファイルにファイル名を格納する。図５は、ファイル名生成の一例である。（１）はファイル名生成のフォーマットを示す。ＩＤ、測定年月日、測定時間、測定種類、測定を行った被検眼の右眼または左眼情報、測定値及び画像ファイルフォーマットの拡張子の順に生成される。（２）ファイル名の生成例で、ＩＤ、測定年月日、測定時間、測定種類の後に被検眼の右眼または左眼情報、眼屈折力及び角膜曲率測定値がファイル名に格納される。眼屈折力及び角膜曲率測定値は、測定値の信頼度及び統計処理により算出された代表値のみを格納している。Ｓ１０６では、Ｓ１０４、１０５で作成された画像ファイルを、前記演算処理部２２により、外部入出力部２９を介して、ＰＣに出力を行う。ＩＤを眼科測定装置内部で管理している場合は、ＩＤをインクリメントして次の被検者の測定準備に入る。
【００１８】
図３のフローでは、画像ファイルのフォーマットをビットマップ形式としたが、ＪＰＥＧ形式などのファイル圧縮を行う画像ファイル形式で、ＰＣに出力することにより転送時間を短くすることもでき、ＰＣで保存するファイルサイズの小さくできる。ファイル名生成フォーマットを検者が作成できるようにして、任意の測定情報のみをファイル名にすることも可能である。
【００１９】
図６は、本発明の外部機器から患者情報（ＩＤ、患者名）の入力を行い、患者情報と測定情報を画像ファイルとして外部に出力するフローチャートである。Ｓ２０１では、外部入出力部２９を介し、外部機器から入力された患者情報を、演算処理部２２で保管する。Ｓ２０２で測定スイッチが入力された場合、被検眼の眼屈折力、角膜曲率測定を行う。また、被検眼の角膜や水晶体の混濁具合の観察が行える徹照画像をメモリ２１に格納する。Ｓ２０３で出力スイッチの入力され、Ｓ２０４で測定データが存在する場合、Ｓ２０５に進む。Ｓ２０５では、Ｓ２０１で入力された患者情報、文字情報である測定情報（ＩＤ、機種名、測定日時及び測定データ）と画像情報である徹照画像を前記演算処理部２２により、画像ファイルが作成され、メモリ２８に格納される。図７は、作成された画像ファイルのイメージを示す。Ｓ２０６で、ファイル名生成フォーマットに従い、画像ファイル名の格納を行う。Ｓ２０７では、Ｓ２０５、２０６で作成された画像ファイルを、前記演算処理部２２により、外部入出力部２９を介して、ＰＣに出力を行う。
【００２０】
図７のフローでは、外部機器から入力される患者情報をＩＤ、患者名で説明を行ったが、患者情報として、性別、年齢などを入力しても良い。また、測定場所や検者情報なども入力することにより、画像ファイルに入力可能である。図７では、徹照画像を患者情報と文字情報である測定情報とともに一つの画像ファイルとして作成したが、眼屈折力測定画像、角膜曲率測定画像や測定直前画像などを追加しても良い。
【００２１】
図８は、ＰＣ上で表示されるファイルリストの一例を示したものである。ＰＣ操作者は、画像ファイルを開くことなく、測定情報を閲覧することができる。また、測定情報の詳細を知りたい場合は、画像ファイルを開くことで確認可能である。
【００２２】
上記実施例では、被検眼の両眼の測定情報を１つの画像ファイルとしたが、図９のように、右眼、左眼の測定情報をそれぞれ画像ファイル作成することも可能である。また、図１０のように測定種類別に（実施例中では、眼屈折力、角膜曲率）に画像ファイルを作成することも可能である。
【図面の簡単な説明】
【００２３】
【図１】本実施例の光学系を示した図である。
【図２】本実施例のブロック回路図である。
【図３】測定情報を画像ファイルとして外部に出力するフローチャートである。
【図４】作成された画像ファイルのイメージである。
【図５】ファイル名のフォーマットと生成例である。
【図６】本発明の外部機器から患者情報（ＩＤ、患者名）の入力を行い、患者情報と測定情報を画像ファイルとして外部に出力するフローチャートである。
【図７】本発明の外部機器から患者情報入力後、患者情報と測定情報を画像ファイルとして外部に出力するフローチャートである。
【図８】ＰＣ上で表示されるファイルリストの例である。
【図９】ＰＣ上で表示されるファイルリストの左右別ファイル作成の例である。
【図１０】ＰＣ上で表示されるファイルリストの測定種類別ファイル作成の例である。
【図１１】通信を行う際のプロトコルとデータ構造を示した図である。
【符号の説明】
【００２４】
Ｅ  被検眼
Ｅｃ  角膜
１  ダイクロイックミラー
２  前眼部観察用対物レンズ
３  ダイクロイックミラー
４  結像レンズ
５  撮像素子
６  ミラー
７  眼屈折力測定用対物レンズ
８  穴あきミラー
９  投影絞り
１０  投影レンズ
１１  眼屈折力測定光源
１２  リング絞り
１３  円錐プリズム
１４  リレーレンズ
１５  撮像素子
１６  前眼部照明光源
１７  指標版
１８  角膜形状測定リング光源
２０  Ａ／Ｄコンバーター
２１  画像メモリ
２２  演算処理部
２３  Ａ／Ｄコンバーター
２４  画像メモリ
２５  Ｄ／Ａコンバーター
２６  モニタ
２７  操作部
２８  メモリ
２９  外部入出力部
１０１  前眼部観察系及び角膜形状測定系
１０２  固指標投影系
１０３  眼屈折力測定光投影系及び眼屈折力測定受光系
【図１】
2005261616.tif 000003
【図２】
2005261616.tif 000004
【図３】
2005261616.tif 000005
【図４】
2005261616.tif 000006
【図５】
2005261616.tif 000007
【図６】
2005261616.tif 000008
【図７】
2005261616.tif 000009
【図８】
2005261616.tif 000010
【図９】
2005261616.tif 000011
【図１０】
2005261616.tif 000012
【図１１】
2005261616.tif 000013